(57)【要約】【課題】人の出入の多いドアー付近の照明、ドアーの開閉が停電になった際の対応が容易に出来るドアー装置を提供する。【解決手段】電源により、人の通過に対応して自動的に開閉するドアー装置である。  ドアーにラックを設ける。  ドアーには対面又は対応する方立、無目等の固定部に、回動自在に設ける回転入力ギアーを前記ラックと噛合させる。  該回転入力ギアーと方立、無目等の固定部に設けた増速機構を係合させる。  該増速機構に発電機を係合させる。  該発電機に充電可能な二次電池を設ける。【選択図】  図１
2013189834.tif 000002
【特許請求の範囲】
【請求項１】
人の出入を感知し自動的に開閉するドアー装置であって、ドアーにラックを設け、方立、無目等の固定部に該ラックと噛合する回転入力ギアーを回動自在に設け、該回転入力ギアーに増速機構を連結させると共に、該増速機構に発電機を連結させ、該発電機に充電可能な二次電池を連設させたことを特徴とする自動ドアー装置。
【請求項２】
ドアーの上下端部にラックを施設し、両ラックに固定部に設けた回転入力ギアーを噛合させることを特徴とする請求項１に記載の自動ドアー装置。
【発明の詳細な説明】
【技術分野】
【０００１】
本願は、人の出入の多い建物に設置される自動ドアーを利用し、非常時に備えた小規模発電を可能にする自動ドアー装置に関する。
【背景技術】
【０００２】
スーパーストア，コンビニエンスストア，食堂等の人の出入りの激しい出入り口のドアーは、人の手を患わすことなく、人の接近を感知して自動的に開閉する所謂自動ドア装置を設置することが多い。
この自動ドアーの開閉はモーター駆動により行なわれるのであるが、その際の電力はモーター駆動に費やされるのみである。又、通常の店舗では停電等に備えて非常用電源を備えることは費用維持費の点から殆ど行なわれていない。
【０００３】
このため、これら店舗に於いて、地震、火災等の緊急時における停電の際には出入口さえ判然としない処が多い。又所謂自動ドアーは駆動部のモーターとドアー開閉駆動とが固定的に連結される構造が採用されていることがあるため、停電時にドアーを開けるのに大きな力を必要とし、緊急時、女性、子供には容易に開けることが困難な場合が多い。
【０００４】
この困難性を避けるため特許文献１では、自動ドアーそのものを動かすための非常用電源を設置し、停電時に切換え非常用電源を使用し、ドアーの開閉を行なわんとする構成が提案されている。しかし、この場合、設備費用、維持費用がかかることは前述の如くであり、設置自体に問題がある。
【先行技術文献】
【特許文献】
【０００５】
【特許文献１】特開２００２−２４２５３０
【特許文献２】特開平８−２１００２５
【特許文献３】特開２００２−３３２７７６
【特許文献４】特開２００９−７９３９３
【発明の概要】
【発明が解決しようとする課題】
【０００６】
そこで本願発明に於いては、設置や維持に費用のかかる非常用電源の代わりに極めて廉価に容易に設置できる発電機構をドアー装置に連繋設置することにより、ドアーの自動開閉を利用して発電し、必要に応じ蓄電機構に蓄電させ、蓄電回路、充電電池等の利用により、非常灯、出入口表示灯、出口への誘導灯への電力供給を行なわんとするものである。この目的のために、人の出入によって必ず動くドアーの動きを発電機構に伝達し、小規模発電をし、所望の蓄電機構に蓄電又は充電しようとするものである。
【課題を解決するための手段】
【０００７】
本発明は上記課題を解決するため、人の出入を感知し自動的に開閉するドアー装置であって、ドアーにラックを設け、方立、無目等の固定部に該ラックと噛合する回転入力ギアーを回動自在に設け、該回転入力ギアーに増速機構を連結させると共に、該増速機構に発電機を連結させ、該発電機に充電可能な二次電池を連設させたことを特徴とする自動ドアー装置を提案する。
【発明の効果】
【０００８】
本発明によれば、通常、常時、人の出入の多い自動ドアの開閉によって単に人の出入を許応するだけであったドアー移動エネルギーを発電機構によって発電し非常灯等の電源として利用することができるものである。
然も、発電装置も簡単に構成でき且設置できるので非常用電源装置を準備する場合に比して廉価に構成でき維持費用も殆どかからず極めて経済的である。
又、本願発明によれば、駆動源のモーターと各種駆動機構間の連結機構例えばクラッチ等の機構操作電源としても利用出来る。
【０００９】
又、この発電された電力を使用し、モーター等の駆動源と該駆動源に係合する歯車、傘歯車或いは駆動源と係合してドアーを走行させるワイヤー、チェーン等の回動輪間等に駆動力を伝達するクラッチ機構を設け、クラッチ機構により駆動力の伝達のＯＮ、ＯＦＦ機構としてドアと駆動源間の連結を断つ構成をとることも出来る。
これにより、女性、子供でもドアーの開閉を容易にさせることも出来る。
【図面の簡単な説明】
【００１０】
【図１】本発明‐実施例概略説明正面図
【図２】同上‐実施例一部概略説明平面図
【図３】本発明他実施例概略説明正面図
【図４】同上実施例一部概略説明平面図
【図５】同上実施例一部概略説明側面図
【図６】本発明一部クラッチ説明図
【図７】本発明一部駆動機構平面図
【図８】同上側面図
【図９】本発明一実施例一部回路図
【発明を実施するための形態】
【００１１】
以下図に示す実施例により本願発明を説明する。
１は無目で、ドアー２，２の上方に構成され、ドアー駆動部３を収納させてある。ドアー駆動部３はモーター３１及び該モーター３１と主プーリー３２間を係合離脱させるクラッチ３２より成り、無目１に回動自在に支承した主プーリー３４、縦プーリー３５間にタイミングベルト３６を係架して構成される。該タイミングベルト３６とドアー２とは連結金具４，４により連結させてある。
【００１２】
又、ドアー２，２の上端には夫々ローラー５，５を設け、無目１内に設置したレール６に係架させてある。
上記クラッチ３３の構成は、モーター３１を主プーリー３２間に介在させるスリップ機構としたり、歯車、転動輪等の押付け、離間機構とする等各種機構を使用できる。
この構成により、モーター３１の回動によりクラッチ３３を介して主プーリー３２を回動させ、縦プーリー３５間に係架したタイミングベルト３６を回動させる。
このタイミングベルト３６に夫々連結金具４，４により連結したドアー２，２は左右に開き或いは左右から閉鎖方向に移動する。
【００１３】
７はラックで、ドアー２の上端及び／又は下端に設置する。
ドアー２に上下に設けるのが通常である。金属構成の枠体２１を設けてある場合には該枠体２１上に設置するのが好ましい。
又、ラック７は、ドアー２の上端が無目１内に位置する場合は無目１内にて覆われているほうが良いことを外観のみならず機能上も好ましい。
【００１４】
８は方立で、ドアー２を吊り上げ係架する無目し、その中に収納されるレール、ドアー駆動部３等の重量を支え且、ドアー開閉端を披露する等の目的のために設置される。
該方立８又は下記に述べる発電のための装置を収納する発電用ボックス８１内に駆動部としての回転入力ギアー９０、増速機構１０を収納してある。
方立８を設置しないドアー装置の場合、発電用ボックス８１を設ける必要がある。該発電ボックス８１は無目１、方立８、或いは壁面、戸袋等の固定部に単独又はそれら複数にまたがって設置される。
発電用ボックス８１又は方立８等に回転入力ギアー９０、増速機構１０を設置する際には支持板８２を設けて固定するのが良い。
【００１５】
又、該回転入力ギアー９０には、増速機構１０が噛合してある。
該増速機構１０は所望数の歯車１０１，１０３を軸１０２に固定し、軸１０５に歯車１０４及び１０６を固定し、軸１０７には歯車１０８と１０９を固定し軸１１１には歯車１１２が固定してある。歯車１０１は回転入力ギアー９０と歯車１０３は歯車１０４と歯車１０５は歯車１０８と歯車１０９は歯車１１２と噛合している。この様に該歯車を支承する軸１０２，１０５，１０７，１１１の組み合わせにより構成してある。
各軸９１，１０２，１０５，１０７，１１１は支持板８２に枢支してある。
【００１６】
該増速機構１０により発電機１２の回転子を回動させ構成としてある。
該発電機１２の構成は各種の従来公知の機構を用いることが出来る。その基本は永久磁石を有する高速回転される回転子とその周囲に磁石と対向して配される固定子を配した発電機である。
【００１７】
該発電機１２は、回転入力ギアー９０の回転を増速機構により、高速回転させ、この高速回転されるロータ部分の磁石と対向設置させるコイルを設けたステータ部とより成り、回転入力ギアー９０の回転を増速機構１０により数十倍に増速してロータ部に送る。このロータ部に設けられた磁石はＮ極、Ｓ極が交互に設置されて対応設置された複数のコイルとの間で磁気回路を形成している。
増速機構により磁石の高速回転により磁石とコイル間の磁気作用によりコイルに起電力が発生と発電される。
【００１８】
又、このドアー２，２の駆動方式はドアー２，２下端に設けた車輪をレール上に載置して走行させる構成を採用することも出来る。
本願発明に於いて、このドアー２，２の駆動方式を問わず、ドアー２，２一枚の開閉式であっても利用できるものである。
ドアー２，２の開放又は閉鎖により、ドアー２，２が走行すると回転入力ギアー９０が噛合するラック７上を移動することによって回動される。
【００１９】
この回転入力ギアー９０の回動は増速機構１０によって増速され、発電機１２の回転子に伝えられて磁石が高速回転され、磁石とコイル間の磁気作用によってコイルに起電圧が発生し、発電が行なわれる。これらの発電のための機構は通常使用されている発電機構を使用する。
【００２０】
この電流は配線１１Ｘを通じ、二次電池１１に送られる。
この発電作用はドアー開放すれば必ず閉鎖するので往復して行なわれることになる。この際、回転子の回転方向を特定方向のみを選択したり、交互にしたり、回転子の方向性を考える際には、回転子の回転を変換する機構を設けることは推奨される。例えば回転入力ギアー９０と増速機構１０との間、増速機構１０内、増速機構１０と発電機１２間にクラッチ機構を設け、回転方向を換えることも考えられる。
ここで発電機１２として３相交流発電機を用いることにより、該発電機１２によって発電された電流は、従来公知の整流回路、又は整流平滑化回路で整流平滑化された後、ＤＣ／ＤＣ変換器で所望の電圧に調整され充電回路に供給され充電回路により二次電池１１に蓄電される。
この具体例として、図９に回路一部を示す。
発電機１２は３相交流発電機であり、回転入力ギアー９０の回転を増速機構１０により増速し発電される。ここで発電された電流は整流回路１３０により整流され二次電池１１に蓄電される。
【００２１】
この二次電池１１は、停電時にはドアー付近の照明用として非常用電灯、出口表示灯として使用できる。
更に、停電時に於いて、ドアー駆動部３とドアー２の係合によって制動手段として作用するため、ドアーの開放が困難になるが、この二次電池１１よりの電流によってクラッチ３３の作動制御に使用可能であり、ドアーの手動による開放が出来るようにもなる。
【符号の説明】
【００２２】
１    無目
２    ドアー
３    ドアー駆動部
４    連結金具
５    ローラー
７    ラック
８    方立
８１  発電ボックス
９    固定部
１０  増速機構
１１  二次電池
１２  発電機
【図１】
2013189834.tif 000003
【図２】
2013189834.tif 000004
【図３】
2013189834.tif 000005
【図４】
2013189834.tif 000006
【図５】
2013189834.tif 000007
【図６】
2013189834.tif 000008
【図７】
2013189834.tif 000009
【図８】
2013189834.tif 000010
【図９】
2013189834.tif 000011